(57)【要約】【課題】複合デバイスのコンテンツ再生方法及びその装置を提供する。【解決手段】情報記録媒体に保存されたコンテンツの再生機能と、遠隔のサーバから提供されるサービス受信機能とを有した複合デバイスが、コンテンツ再生中に、サーバから受信したサービスに関連したメッセージをユーザに表示する方法及びその装置を提供する。また、前記方法を実行させるためのプログラムを記録したコンピュータで読み取り可能な情報記録媒体を提供する。【選択図】図４
2010161778.tif 000002
【特許請求の範囲】
【請求項１】
情報記録媒体に保存されたコンテンツを再生し、遠隔のサーバから提供されるサービスを受信するデバイスが、前記コンテンツを再生する方法において、
前記情報記録媒体に保存されたコンテンツを再生している最中に、前記遠隔のサーバからユーザに提供されるメッセージを受信する段階と、
前記メッセージの優先順位に基づいて、前記情報記録媒体に保存されたコンテンツを継続再生するか否か、及び前記メッセージを表示するか否かを決定する段階と、
前記決定に従って、前記情報記録媒体に保存されたコンテンツの継続的な再生と、前記メッセージの表示とのうち、少なくとも一つを遂行する段階とを含むことを特徴とするコンテンツ再生方法。
【請求項２】
前記情報記録媒体は、ブルーレイディスク（ＢＤ）であり、
前記サービスは、デジタルケーブル・サービスであることを特徴とする請求項１に記載のコンテンツ再生方法。
【請求項３】
前記情報記録媒体に保存されたコンテンツの継続的な再生と、前記メッセージの表示とのうち、少なくとも一つを遂行する段階は、
前記情報記録媒体に保存されたコンテンツの再生を停止（stop）させ、前記メッセージを全体画面で表示する段階を含むことを特徴とする請求項２に記載のコンテンツ再生方法。
【請求項４】
前記全体画面で表示する段階は、
前記メッセージと、前記メッセージに関連したデジタルケーブルチャンネルとを、前記全体画面で表示する段階を含むことを特徴とする請求項３に記載のコンテンツ再生方法。
【請求項５】
前記情報記録媒体に保存されたコンテンツの継続的な再生と、前記メッセージの表示とのうち、少なくとも一つを遂行する段階は、
前記情報記録媒体に保存されたコンテンツの再生画面の一部に、前記メッセージを表示する段階を含むことを特徴とする請求項２に記載のコンテンツ再生方法。
【請求項６】
前記再生画面の一部に、前記メッセージを表示する段階は、
前記情報記録媒体に保存されたコンテンツの前記再生画面の一部に、前記メッセージと、前記メッセージに関連したデジタルケーブルチャンネルとを、ＰｉＰ（picture in picture）で表示する段階を含むことを特徴とする請求項５に記載のコンテンツ再生方法。
【請求項７】
前記再生画面の一部に、前記メッセージを表示する段階は、
前記情報記録媒体に保存されたコンテンツの前記再生画面の一部に、前記メッセージに関連したアイコンを表示する段階を含むことを特徴とする請求項５に記載のコンテンツ再生方法。
【請求項８】
前記再生画面の一部に、前記メッセージを表示する段階は、
前記情報記録媒体に保存されたコンテンツの前記再生画面の一部に、前記メッセージの優先順位についての情報を表示する段階を含むことを特徴とする請求項５に記載のコンテンツ再生方法。
【請求項９】
前記情報記録媒体に保存されたコンテンツの継続的な再生と、前記メッセージの表示とのうち、少なくとも一つを遂行する段階は、
前記情報記録媒体に保存されたコンテンツの再生が終わった後、前記メッセージを表示する段階を含むことを特徴とする請求項２に記載のコンテンツ再生方法。
【請求項１０】
前記メッセージは、
緊急お知らせメッセージ、または前記デジタルケーブル・サービスに関連したソフトウェアのアップグレードを知らせるメッセージ、または前記デジタルケーブル・サービスに関連したケーブルカード・ファームウェアのアップグレードを知らせるメッセージであることを特徴とする請求項２に記載のコンテンツ再生方法。
【請求項１１】
情報記録媒体に保存されたコンテンツを再生し、遠隔のサーバから提供されるサービスを受信するデバイスのコンテンツ再生装置において、
前記情報記録媒体に保存されたコンテンツを再生している最中に、前記遠隔のサーバからユーザに提供されるメッセージを受信するサービス処理部と、
前記メッセージの優先順位に基づいて、前記情報記録媒体に保存されたコンテンツの再生を継続するか否か、及び前記メッセージを表示するか否かを決定する動作モード決定部と、
前記決定に従って、前記情報記録媒体に保存されたコンテンツの再生と、前記メッセージの表示とのうち、少なくとも一つを遂行するコンテンツ再生部とを含むことを特徴とするコンテンツ再生装置。
【請求項１２】
前記情報記録媒体は、ブルーレイディスク（ＢＤ）であり、
前記サービスは、デジタルケーブル・サービスであることを特徴とする請求項１１に記載のコンテンツ再生装置。
【請求項１３】
前記コンテンツ再生部は、
前記情報記録媒体に保存されたコンテンツの再生を停止させ（stop）、前記メッセージを全体画面で表示することを特徴とする請求項１２に記載のコンテンツ再生装置。
【請求項１４】
前記コンテンツ再生部は、
前記メッセージと、前記メッセージに関連したデジタルケーブルチャンネルとを、全体画面で表示することを特徴とする請求項１３に記載のコンテンツ再生装置。
【請求項１５】
前記コンテンツ再生部は、
前記情報記録媒体に保存されたコンテンツの再生画面の一部に、前記メッセージを表示することを特徴とする請求項１２に記載のコンテンツ再生装置。
【請求項１６】
前記コンテンツ再生部は、
前記情報記録媒体に保存されたコンテンツの再生画面の一部に、前記メッセージと、前記メッセージに関連したデジタルケーブルチャンネルとを、ＰｉＰ（picture in picture）で表示することを特徴とする請求項１５に記載のコンテンツ再生装置。
【請求項１７】
前記コンテンツ再生部は、
前記情報記録媒体に保存されたコンテンツの前記再生画面の一部に、前記メッセージに関連したアイコンを表示することを特徴とする請求項１５に記載のコンテンツ再生装置。
【請求項１８】
前記コンテンツ再生部は、
前記情報記録媒体に保存されたコンテンツの前記再生画面の一部に、前記メッセージの優先順位についての情報を表示することを特徴とする請求項１５に記載のコンテンツ再生装置。
【請求項１９】
前記コンテンツ再生部は、
前記情報記録媒体に保存されたコンテンツの再生が終わった後、前記メッセージを表示することを特徴とする請求項１２に記載のコンテンツ再生装置。
【請求項２０】
前記メッセージは、
緊急お知らせメッセージ、または前記デジタルケーブル・サービスに関連したソフトウェアのアップグレードを知らせるメッセージ、または前記デジタルケーブル・サービスに関連したケーブルカード・ファームウェアのアップグレードを知らせるメッセージであることを特徴とする請求項１２に記載のコンテンツ再生装置。
【請求項２１】
請求項１ないし請求項１０のうち、いずれか１項に記載の方法を実行するためのプログラムを記録した情報記録媒体。
【請求項２２】
コンテンツを再生し、サーバからサービスを受信する方法において、
情報記録媒体に保存されている前記コンテンツを再生する段階と、
前記再生中、前記サーバからメッセージを受信する段階と、
前記メッセージの受信後、前記記録媒体に保存されている前記コンテンツの再生を、一時停止（pause）または停止（stop）するか否か、及び前記受信したメッセージを表示するか否かを決定する段階と、
前記決定に基づき、前記記録媒体に保存されている前記コンテンツ再生の一時停止または停止、及び前記メッセージの表示のうち、少なくとも一つを遂行する段階とを含むことを特徴とする方法。
【請求項２３】
前記情報記録媒体は、ブルーレイディスク（ＢＤ）であり、
前記サービスは、デジタルケーブル・サービスであることを特徴とする請求項２２に記載の方法。
【発明の詳細な説明】
【技術分野】
【０００１】
本発明は、コンテンツを再生する方法及び装置に係り、さらに詳細には、複合デバイスが情報記録媒体に保存されたコンテンツを再生する方法及びその装置に関する。
【背景技術】
【０００２】
ブルーレイディスク（blu-ray disc）がＤＶＤ（digital versatile disc）後に、次世代情報記録媒体として注目され始めつつあり、ブルーレイディスクを再生可能なデバイスが開発されている。
また、Tru2wayという双方向デジタルケーブル・サービスがケーブル放送の規格として定着しつつあり、ブルーレイディスク・プレイヤの機能とデジタルケーブル・セットトップボックスの機能とを同時に提供する複合デバイスの開発が加速化している。Tru2wayは、デジタルケーブルを介して、所定のメッセージをユーザに表示する方法を具備しているが、これは、特許文献１に開示されている。
【先行技術文献】
【特許文献】
【０００３】
【特許文献１】米国特許出願公開第２００７／０１１７７６１号明細書
【発明の概要】
【発明が解決しようとする課題】
【０００４】
本発明が解決しようとする技術的課題は、情報記録媒体に保存されているコンテンツを再生する方法及び装置を提供するところにあり、前記方法を実行させるためのプログラムを記録したコンピュータで読み取り可能な情報記録媒体を提供するところにある。
【課題を解決するための手段】
【０００５】
前記技術的課題を解決するための本発明の一実施態様による、情報記録媒体に保存されたコンテンツを再生し、遠隔のサーバから提供されるサービスを受信するデバイスのコンテンツ再生装置は、前記情報記録媒体に保存されたコンテンツを再生している最中に、前記サーバから、前記サービスに関連してユーザに提供されるメッセージを受信するサービス処理部と、前記メッセージの優先順位に基づいて、前記情報記録媒体に保存されたコンテンツの再生を中止するか否か、及び前記メッセージを表示するか否かを決定する動作モード決定部と、前記決定に従って、前記情報記録媒体に保存されたコンテンツの再生と、前記メッセージの表示とのうち、少なくとも一つを遂行するコンテンツ再生部とを含む。
【０００６】
本発明によるさらに望ましい実施態様によれば、前記情報記録媒体は、ブルーレイディスク（blu-ray disc）であり、前記サービスは、デジタルケーブル・サービスであることを特徴とする。
本発明によるさらに望ましい実施態様によれば、前記コンテンツ再生部は、前記情報記録媒体に保存されたコンテンツの再生を停止させ（stop）、前記メッセージを全体画面で表示することを特徴とする。
本発明によるさらに望ましい実施態様によれば、前記コンテンツ再生部は、前記メッセージと、前記メッセージに関連したデジタルケーブルチャンネルとを全体画面で表示することを特徴とする。
【０００７】
本発明によるさらに望ましい実施態様によれば、前記コンテンツ再生部は、前記情報記録媒体に保存されたコンテンツの再生画面の一部に、前記メッセージを表示することを特徴とする。
本発明によるさらに望ましい実施態様によれば、前記コンテンツ再生部は、情報記録媒体に保存されたコンテンツの再生画面の一部に、前記メッセージと、前記メッセージに関連したデジタルケーブルチャンネルとを、ＰｉＰ（picture in picture）で表示することを特徴とする。
本発明によるさらに望ましい実施態様によれば、前記コンテンツ再生部は、前記情報記録媒体に保存されたコンテンツの再生画面の一部に、前記メッセージに関連したアイコンを表示することを特徴とする。
本発明によるさらに望ましい実施態様によれば、前記コンテンツ再生部は、前記情報記録媒体に保存されたコンテンツの再生画面の一部に、前記メッセージの優先順位についての情報を表示することを特徴とする。
【０００８】
本発明によるさらに望ましい実施態様によれば、前記コンテンツ再生部は、前記情報記録媒体に保存されたコンテンツの再生が終わった後、前記メッセージを表示することを特徴とする。
本発明によるさらに望ましい実施態様によれば、前記メッセージは、緊急お知らせメッセージ、または前記デジタルケーブル・サービスに関連したソフトウェアのアップグレードを知らせるメッセージ、または前記デジタルケーブル・サービスに関連したケーブルカード・ファームウェアのアップグレードを知らせるメッセージであることを特徴とする。
【０００９】
前記技術的課題を解決するための本発明の一実施態様による、情報記録媒体に保存されたコンテンツを再生し、遠隔のサーバから提供されるサービスを受信するデバイスが、前記コンテンツを再生する方法は、前記情報記録媒体に保存されたコンテンツを再生している最中に、前記サーバから、前記サービスに関連してユーザに提供されるメッセージを受信する段階と、前記メッセージの優先順位に基づいて、前記情報記録媒体に保存されたコンテンツの再生を中止するか否か、及び前記メッセージを表示するか否かを決定する段階と、前記決定に従って、前記情報記録媒体に保存されたコンテンツの再生と、前記メッセージの表示とのうち、少なくとも一つを遂行する段階とを含む。
前記技術的課題を解決するために、本発明による一実施態様は、前記のコンテンツ再生方法を実行するためのプログラムを記録したコンピュータで読み取り可能な情報記録媒体を提供する。
【図面の簡単な説明】
【００１０】
【図１】本発明の一実施形態による複合デバイスを含むコンテンツ再生システムを図示する図面である。
【図２】本発明の一実施形態による複合デバイスを図示する図面である。
【図３Ａ】本発明の一実施形態によるメッセージを表示する方法を図示する図面である。
【図３Ｂ】本発明の一実施形態によるメッセージを表示する方法を図示する図面である。
【図３Ｃ】本発明の一実施形態によるメッセージを表示する方法を図示する図面である。
【図３Ｄ】本発明の一実施形態によるメッセージを表示する方法を図示する図面である。
【図４】本発明の一実施形態によるコンテンツ再生方法を説明するためのフローチャートである。
【図５】本発明の一実施形態による複合デバイスの動作方法を説明するためのフローチャートである。
【発明を実施するための形態】
【００１１】
以下、図面を参照しつつ、本発明の望ましい実施形態について詳細に説明する。
図１は、本発明の一実施形態による複合デバイスを含むコンテンツ再生システム１００を図示する図面である。
図１を参照すれば、複合デバイス１２０は、情報記録媒体に保存されたコンテンツの再生機能と、サーバ１４０からの所定のサービスの受信機能とを同時に提供するデバイスである。例えば、複合デバイス１２０は、ブルーレイディスク（ＢＤ：blu-ray disc）プレイヤの機能と、デジタルケーブル・セットトップボックスの機能とを同時に提供するデバイスでありうる。デジタルケーブル・サービスは、ケーブル放送ネットワーク１３０を介して提供される双方向デジタルケーブル・サービスである「Tru2way」サービスであって、この場合、サーバ１４０は、デジタルケーブルコンテンツを提供するサーバ１４０である。
以下、情報記録媒体として、ブルーレイディスクを例にして説明し、遠隔サーバ１４０から提供されるサービスとして、デジタルケーブル・サービスを例にして説明する。しかしながら、本発明が、かような例示に限定されるものではなく、他の情報記録媒体のコンテンツを受信し、他のサービスを受信してユーザに提供するあらゆる複合デバイスに適用されうることは、本発明が属する技術分野の当業者には、容易に理解することができる。
【００１２】
複合デバイス１２０は、ブルーレイディスクに保存されているコンテンツを再生したり、サーバ１４０からデジタルケーブル・サービスを受信し、ディスプレイ・デバイス１１０を介して表示（display）したりする。複合デバイス１２０は、ブルーレイディスクに保存されているコンテンツを、ブルーレイ関連規格に従ってデコーディングして再生し、デジタルケーブル・サービスは、関連規格に従って受信するために、ブルーレイディスクのコンテンツ再生と、デジタルケーブル・サービスの受信は、互いに影響を及ぼさない。
「Tru2way」によるデジタルケーブル・サービスは、ユーザの意向に関係なく、強制的に画面に表示されるメッセージと、メッセージに関連したチャンネルとについて定義している。例えば、デジタルケーブル・サービスは、ＥＡＳ（emergency alert system）によって、事故、自然災害のような緊急状況発生時に、所定の緊急メッセージと、緊急メッセージに関連したチャンネルとを画面に強制的に表示させる。
このために、メッセージの優先順位を、「Test」、「Low」、「Medium」「High」及び「Maximum」に区分し、「Maximum」優先順位の場合には、メッセージ、並びにメッセージに関連したチャンネルも強制的に画面に表示させ、「High」優先順位の場合には、メッセージだけを強制的に画面に表示させている。
【００１３】
ところで、複合デバイス１２０は、ブルーレイディスクのコンテンツを再生すると同時に、デジタルケーブル・サービスを受信するために、かような緊急メッセージを処理するための過程を定義していない。例えば、現在、複合デバイス１２０がブルーレイプレイヤとして動作している最中に、デジタルケーブル・サービスを介して緊急メッセージを受信した場合に、緊急メッセージの表示のために、ブルーレイディスクのコンテンツ再生を一時停止（pause）または停止（stop）せねばならないか、引き続きコンテンツを再生せねばならないかについて定義されていない。これは、ブルーレイプレイヤとしての機能と、デジタルケーブル・セットトップボックスとしての機能とが、それぞれの規格に従って別個に動作するためである。
【００１４】
デジタルケーブル・セットトップボックスのアップグレードに関しても、同じ問題が発生する。例えば、複合デバイス１２０がデジタルケーブル・サービスに関連したソフトウェアをアップグレードしなければならない場合、かようなアップグレードの進行状況をユーザが分からなければ、ユーザの誤操作を招きうる。また、複合デバイス１２０が、サーバ１４０から所定のデータを受信し、デジタルケーブル・サービスを利用するために必要なユーザのケーブルカード（cable card）のファームウェアをアップグレードする場合、かようなアップグレード状況をユーザに認知させなければ、アップグレードの途中でのケーブルカードの強制分離のような不意の事故で、故障を招きうる。
従って、複合デバイス１２０がブルーレイディスクのコンテンツを再生している最中にも、サーバ１４０から受信したメッセージを、ディスプレイ・デバイス１１０を介して、適切にユーザに表示できる方法及び装置が必要であり、以下、図２ないし図５と係わって詳細に説明する。
【００１５】
図２は、本発明の一実施形態による複合デバイス１２０を図示する図面である。
図２を参照すれば、本発明の一実施形態による複合デバイス１２０は、サービス処理部２１０、動作モード決定部２２０及びコンテンツ再生部２３０を含む。
サービス処理部２１０は、遠隔のサーバ１４０から提供されるデジタルケーブル・サービスを受信する。ケーブル放送ネットワーク１３０を介してサーバ１４０から受信したサービスを、ディスプレイ・デバイス１１０を介してユーザに提供する。また、サービス処理部２１０は、複合デバイス１２０が情報記録媒体に保存されたコンテンツを再生している最中に、サーバ１４０からデジタルケーブル・サービスに関連したメッセージを受信する。デジタルケーブル・サービスの利用に関連して、ユーザに提供する必要があるメッセージとして、メッセージごとに緊急性の程度に応じて、優先順位が決定されている。ユーザに提供されるメッセージは、デジタルケーブル・サービスの利用に関連したメッセージであり、ＥＡＳによる緊急お知らせメッセージ、または複合デバイス１２０が、デジタルケーブル・サービスに関連したソフトウェアのアップグレードを知らせるメッセージ、またはケーブルカード・ファームウェアのアップグレードを知らせるメッセージでありうる。
また、ユーザに提供されるメッセージは、ブルーレイディスク再生中に、ユーザにデジタルケーブル放送の録画状況を知らせるメッセージでありうる。ユーザがデジタルケーブル放送の録画を予約した場合、録画開始または終了と同時に、これをユーザに知らせ、ユーザが複合デバイス１２０の動作状態が分かるようにする。以上、ユーザに提供されるメッセージを例にして説明したが、本発明は、これに限定されるものではなく、デジタルケーブル・サービスの利用に関連して、ユーザに提供されるあらゆるメッセージに、本発明が適用されうることは、本発明が属する技術分野の当業者ならば、容易に分かるであろう。
【００１６】
動作モード決定部２２０は、複合デバイス１２０の動作モードを決定する。ブルーレイプレイヤ・モードと、デジタルケーブル・セットトップボックス・モードとのうち、どちらのモードで複合デバイス１２０を動作させるかを決定する。
例えば、複合デバイス１２０が、デジタルケーブル・サービスを受信してユーザに提供するデジタルケーブル・セットトップボックス・モードで動作していた場合、ユーザがブルーレイディスクを複合デバイス１２０に挿入すれば、動作モード決定部２２０は、ブルーレイディスク・プレイヤモードに動作モードを変更する。
本発明の一実施形態によれば、動作モード決定部２２０は、ブルーレイディスクのコンテンツを再生している最中に、サーバ１４０から受信したメッセージに基づき、複合デバイス１２０の動作モードを決定できる。すでにブルーレイプレイヤ・モードで動作していた複合デバイス１２０の動作モードをデジタルケーブル・セットトップボックス・モードに変更するか否かを、サーバ１４０から受信したメッセージの優先順位に基づいて決定する。モードの決定は、ブルーレイディスクに保存されたコンテンツを引き続き再生するか否かについての決定と、メッセージを画面に表示するか否かに係わる決定とを含む。
【００１７】
動作モード決定部２２０は、ユーザに提供されるメッセージの優先順位が高い場合、ブルーレイディスクの再生を一時停止または停止し、全体画面にメッセージを表示するように、動作モードを決定する。この場合、動作モード決定部２２０の決定に従って、複合デバイス１２０の動作モードは、ブルーレイプレイヤ・モードでからデジタルケーブル・セットトップボックス・モードに変更される。
また、動作モード決定部２２０は、ユーザに提供されるメッセージの優先順位を考慮し、ブルーレイプレイヤ・モードを引き続き維持するが、画面の一部にメッセージ表示するように動作モードを決定できる。
動作モード決定部２２０は、ユーザに提供されるメッセージの優先順位が低い場合には、ブルーレイプレイヤ・モードを引き続き維持し、ブルーレイディスクに保存されたコンテンツの再生がすべて終わった後、メッセージを表示するように、動作モードを決定できる。
【００１８】
コンテンツ再生部２３０は、動作モード決定部２２０の決定に従って、ブルーレイディスクに保存されたコンテンツの再生と、ユーザに提供されるメッセージの表示とのうち、少なくとも一つを遂行する。図３Ａないし図３Ｄを参照しつつ、詳細に説明する。
図３Ａないし図３Ｄは、本発明の一実施形態によるメッセージを表示する方法を図示する図面である。
動作モード決定部２２０が全体画面にメッセージを表示するように、動作モードを決定した場合、コンテンツ再生部２３０は、コンテンツの再生を一時停止または停止し、メッセージを図３Ａに図示されているように、メッセージを全体画面で表示する。メッセージだけを全体画面で表示したり、メッセージと、メッセージに関連したデジタルケーブルチャンネルとを全体画面で表示したりする。
【００１９】
例えば、前述したＥＡＳによる事故、自然災害のような緊急状況発生時に、ブルーレイディスクの再生を一時停止または停止し、緊急メッセージ３１０と、緊急メッセージに関連したデジタルケーブルチャンネル３１２とを全体画面で表示する。
動作モード決定部２２０がブルーレイプレイヤ・モードを引き続き維持するが、画面の一部をメッセージ表示のために割り当てるように、動作モードを決定した場合、コンテンツ再生部２３０は、ブルーレイディスクの再生と同時に、サーバ１４０から受信したメッセージを表示する。この場合、画面の一部３２２にメッセージを表示する。例えば、図３Ｂに図示されているように、画面の一部３２２にメッセージを表示し、残りの画面３２０には、再生中であるブルーレイディスクに保存されたコンテンツを表示する。また、コンテンツ再生部２３０は、ＰｉＰ（picture in picture）でメッセージを表示できる。図３Ｃに図示されているように、画面の一部３３２及び３３４に、メッセージと、メッセージに関連したチャンネルとを表示し、残りの画面３３０には、再生中であるブルーレイディスクに保存されたコンテンツを表示する。
【００２０】
また、本発明の他の実施形態によれば、コンテンツ再生部２３０は、受信したメッセージを直接表示せずに、サーバ１４０からメッセージを受信したか否かだけを簡略にユーザに表示できる。換言すれば、図３Ｄに図示されているように、画面の一部に、メッセージの受信状況を知らせるアイコン、または受信したメッセージの優先順位だけを簡略にユーザに表示できる。アイコンは、メッセージの内容をユーザが認識できるように、メッセージの内容に応じて、異なる形状にデザインされうる。
動作モード決定部２２０が、ブルーレイディスクに保存されたコンテンツの再生がすべて終わった後に、メッセージを表示するように、動作モードを決定した場合、コンテンツ再生部２３０は、ブルーレイディスクに保存されたコンテンツを、全体画面で引き続き再生し、再生がすべて終わった後、画面にメッセージを表示する。
【００２１】
図４は、本発明の一実施形態によるコンテンツ再生方法について説明するためのフローチャートである。
図４を参照すれば、段階４１０で、複合デバイス１２０は、情報記録媒体に保存されたコンテンツを再生する。本発明の一実施形態によれば、ブルーレイディスク・プレイヤの機能と、デジタルケーブル・セットトップボックスの機能とをいずれも有した複合デバイス１２０は、ブルーレイディスクに保存されたコンテンツを再生する。
【００２２】
段階４２０で、複合デバイス１２０は、ブルーレイディスクを再生している最中に、遠隔のサーバ１４０から、サービスに関連したメッセージを受信する。前述の通り、サーバ１４０は、デジタルケーブル・サービスを提供するサーバであって、メッセージは、デジタルケーブル・サービスに関連して、ユーザに提供されるメッセージでありうる。
ユーザに提供されるメッセージは、ＥＡＳによる緊急お知らせメッセージ、または複合デバイス１２０がデジタルケーブル・サービスに関連したソフトウェアのアップグレードを知らせるメッセージ、またはケーブルカード・ファームウェアのアップグレードを知らせるメッセージでありうる。かようなメッセージは、デジタルケーブル・サービスを利用するユーザに、強制的に提供されねばならない情報に係わるメッセージである。
【００２３】
段階４３０で、複合デバイス１２０は、段階４２０で受信したメッセージの優先順位を考慮し、情報記録媒体に保存されたコンテンツを引き続き再生するか否か、及びメッセージを表示するか否かを決定する。
複合デバイス１２０は、ユーザに提供されるメッセージの優先順位が高い場合、ブルーレイディスクの再生を一時停止または停止し、全体画面にメッセージを表示するように、決定できる。
また、ユーザに提供されるメッセージの優先順位を考慮し、ブルーレイプレイヤ・モードを引き続き維持するが、画面の一部をメッセージの表示のために割り当てたり、ブルーレイディスクに保存されたコンテンツの再生がすべて終わった後に、メッセージを表示したりするように決定できる。
【００２４】
段階４４０で、複合デバイス１２０は、段階４３０の決定に従って、情報記録媒体に保存されたコンテンツの再生及びメッセージの表示のうち、少なくとも一つを遂行する。
全体画面にメッセージ及び／またはメッセージに関連したデジタルケーブルチャンネルを表示したり、コンテンツを引き続き再生して、メッセージは表示しなかったりすることも可能である。また、画面の一部にだけメッセージを表示でき、この場合、メッセージに関連したアイコン、または優先順位についての情報だけを簡略に表示できる。
【００２５】
図５は、本発明の一実施形態による複合デバイスの動作方法について説明するためのフローチャートである。
図５を参照すれば、段階５１０及び５２０で、複合デバイス１２０は、ブートして動作モードを決定する。本発明の一実施形態によれば、複合デバイス１２０は、ブルーレイディスク・プレイヤの機能及びデジタルケーブル・セットトップボックスの機能を提供するが、段階５２０で、複合デバイス１２０は、２種類の動作モードのうち、１つの動作モードを決定する。ブート後に最初の動作モードを決定する段階として、多様な方法でもって最初の動作モードを決定できる。
例えば、ブルーレイディスクが複合デバイス１２０に挿入されている場合に、ブルーレイディスク・プレイヤとして動作するように、動作モードを決定できる。また、ユーザが設定したデフォルトモードで動作するように、動作モードを決定できる。
【００２６】
最初の動作モードがブルーレイディスク・プレイヤである場合についてまず説明する。
段階５３０で、複合デバイス１２０は、段階５２０の決定に従って、ブルーレイディスク・プレイヤモードで動作する。
段階５３２で、複合デバイス１２０は、動作モードを変更する必要があるか否かを判断する。モード変更を指示するユーザの入力、または遠隔のサーバ１４０からのメッセージ受信に基づいて、モード変更が必要であるか否かを判断する。図２に関連して前述したメッセージは、デジタルケーブル・サービスに関連して、ユーザに提供されるメッセージでありうる。
モード変更を指示するユーザの入力があったり、メッセージの優先順位が高く、ブルーレイディスクの再生に優先して画面に表示する必要があったりする場合には、段階５４０に移動し、デジタルケーブル・セットトップボックス・モードに動作モードを変更し、メッセージ及び／またはメッセージに関連したデジタルケーブルチャンネルを、全体画面で表示する。
メッセージの優先順位が低く、メッセージの表示を遅らせることができる場合には、動作モードを変更せずに、段階５５０で、ブルーレイディスクに保存されたコンテンツを引続き再生する。段階５５２で、コンテンツの再生が終わった後には、段階５５４で、画面に表示するメッセージがあるか否かを判断する。表示するメッセージがあれば、段階５４０に移動し、画面にメッセージ及び／またはメッセージに関連したデジタルケーブルチャンネルを表示する。
メッセージの表示は行うが、全体画面で表示する必要のない場合には、段階５６０及び５６２で、動作モードを変更せずに、ブルーレイディスクに保存されたコンテンツを再生しつつ、画面の一部にメッセージ及び／またはメッセージに関連したデジタルケーブルチャンネルを表示する。画面の一部に、メッセージ及び／またはメッセージに関連したデジタルケーブルチャンネルを表示する方法は、図３Ｂないし図３Ｄに関連して述べた。
【００２７】
最初の動作モードがデジタルケーブル・セットトップボックス・モードである場合に、複合デバイス１２０は、段階５４０で、デジタルケーブル・セットトップボックス・モードで動作する。動作の途中、複合デバイス１２０は、動作モードの変更が必要であるか否かを判断する。動作モードの変更を指示するユーザの入力、またはブルーレイディスクの挿入のような外部の入力がモード変更の条件になりうる。動作モードが、ブルーレイディスク・プレイヤモードに変わった場合には、前述のような段階５３０及びそれ以下の段階を遂行する。
動作モードが変わっていない場合には、段階５４６で、サービスが終了するまでデジタルケーブル・セットトップボックス・モードで動作することによって、デジタルケーブル・サービスを受信し、ディスプレイ・デバイス１１０を介してユーザに提供する。
【００２８】
本発明によれば、情報記録媒体に保存されたコンテンツを再生する機能と、遠隔のサーバからサービスを受信する機能とを有する複合デバイスが、メッセージの緊急性に基づいて、コンテンツの再生と、サービスに関連した緊急メッセージの表示とを適切に遂行することができる。従って、メッセージをユーザに強制的に提供しようとするサービス提供者の意図を充足させつつ、コンテンツを再生でき、複合デバイスの活用性を極大化させることができる。
【００２９】
以上、本発明は、たとえ限定された実施形態及び図面によって説明したとしても、前記の実施形態に限定されるものではなく、本発明が属する分野の当業者ならば、かような記載から、多様な修正及び変形が可能であろう。従って、本発明の思想は、特許請求の範囲によってのみ把握されるものであり、それと均等であるか、または等価的な変形は、本発明の思想の範疇に属するものである。また、本発明によるシステムは、コンピュータで読み取り可能な記録媒体に、コンピュータで読み取り可能なコードとして具現することが可能である。
例えば、本発明の例示的な実施形態によるコンテンツ再生装置は、図２に図示されたような装置のそれぞれのユニットに結合されたバスと、前記バスに結合された少なくとも１つのプロセッサとを含むことができる。また、命令、受信したメッセージまたは生成されたメッセージを保存するために、前記バスに結合され、前述のような命令を遂行するための少なくとも１つのプロセッサに結合されたメモリを含むことができる。
また、コンピュータで読み取り可能な記録媒体は、コンピュータシステムによって読み取り可能なデータが保存されるあらゆる種類の記録装置を含む。記録媒体の例としては、ＲＯＭ（read-only memory）、ＲＡＭ（random-access memory）、ＣＤ−ＲＯＭ、磁気テープ、フロッピー（登録商標）ディスク、光データ保存装置などがあり、またキャリアウェーブ（例えば、インターネットを介した伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。
【符号の説明】
【００３０】
１００  コンテンツ再生システム
１１０  ディスプレイ・デバイス
１２０  複合デバイス
１３０  ネットワーク
１４０  サーバ
２１０  サービス処理部
２２０  動作モード決定部
２３０  コンテンツ再生部
【図１】
2010161778.tif 000003
【図２】
2010161778.tif 000004
【図３Ａ】
2010161778.tif 000005
【図３Ｂ】
2010161778.tif 000006
【図３Ｃ】
2010161778.tif 000007
【図３Ｄ】
2010161778.tif 000008
【図４】
2010161778.tif 000009
【図５】
2010161778.tif 000010